(57)【要約】【課題】ユーザの感性に沿った素材を提案する。【解決手段】素材提案装置１は、音象徴語と、音象徴語の印象評価値を対応づけた音象徴語評価値データ１１と、素材の識別子と、素材の印象評価値とを対応づけた素材データ１２を記憶する記憶装置１０と、音象徴語評価値データから、ユーザが入力した音象徴語の印象評価値を取得し、取得した印象評価値と素材データの印象評価値との類似度に基づいて、素材の識別子を取得する素材取得部２１と、物の画像に、素材取得部が取得した素材の識別子に対応する素材のテクスチャ画像を貼り付けて出力する出力部２２を備える。【選択図】      図１
2020126473.tif 000002
【特許請求の範囲】
【請求項１】
音象徴語で表現されたユーザの要求に合う物の素材を提案する素材提案装置であって、
音象徴語と、前記音象徴語の印象評価値を対応づけた音象徴語評価値データと、
素材の識別子と、前記素材の印象評価値とを対応づけた素材データを記憶する記憶装置と、
前記音象徴語評価値データから、ユーザが入力した音象徴語の印象評価値を取得し、取得した印象評価値と前記素材データの印象評価値との類似度に基づいて、素材の識別子を取得する素材取得部と、
前記素材取得部が取得した前記素材の識別子を出力する出力部
を備えることを特徴とする素材提案装置。
【請求項２】
前記出力部は、前記物の画像に、前記素材取得部が取得した素材の識別子に対応する前記素材のテクスチャ画像を貼り付けて出力する
ことを特徴とする請求項１に記載の素材提案装置。
【請求項３】
前記記憶装置はさらに、
前記物を構成する要素の識別子を含む構成データを記憶し、
前記素材データは、さらに、前記素材の識別子に、前記素材が用いられる前記要素の識別子を対応づけ、
前記素材取得部は、前記構成データの前記要素毎に、素材の識別子を取得し、
前記出力部は、前記物の画像の前記要素に対応する部分に、前記要素について、前記素材取得部が取得した素材の識別子に対応する前記素材のテクスチャ画像を貼り付けて出力する
ことを特徴とする請求項１に記載の素材提案装置。
【請求項４】
前記素材取得部は、前記構成データの前記要素毎に、複数の素材の識別子を取得し、
前記出力部は、前記構成データの前記要素毎に取得した複数の素材の識別子に対応する前記素材のテクスチャ画像を、前記要素に対応づけて出力し、
前記物の画像のうち、前記要素に対応する部分に、前記要素について取得した複数の素材の識別子に対応する前記素材のテクスチャ画像からユーザが選択したテクスチャ画像を、貼り付けて出力する
ことを特徴とする請求項３に記載の素材提案装置。
【請求項５】
音象徴語で表現されたユーザの要求に合う物の素材を提案する素材提案方法であって、
コンピュータが、音象徴語と、前記音象徴語の印象評価値を対応づけた音象徴語評価値データと、素材の識別子と、前記素材の印象評価値とを対応づけた素材データを記憶装置に記憶するステップと、
前記コンピュータが、前記音象徴語評価値データから、ユーザが入力した音象徴語の印象評価値を取得し、取得した印象評価値と前記素材データの印象評価値との類似度に基づいて、素材の識別子を取得するステップと、
前記コンピュータが、取得した前記素材の識別子を出力するステップ
を備えることを特徴とする素材提案方法。
【請求項６】
コンピュータに、請求項１ないし請求項４のいずれか１項に記載の素材提案装置として機能させるための素材提案プログラム。
【発明の詳細な説明】
【技術分野】
【０００１】
本発明は、音象徴語で表現されたユーザの要求に合う素材を提案する素材提案装置、素材提案方法および素材提案プログラムに関する。
【背景技術】
【０００２】
近年のインテリアに関する関心および需要の高まりに伴い、ユーザ自身が、ユーザ所望のインテリアをデザインする要望が高まっている。この要望に伴い、ユーザ自身が、部屋または構造物の内装空間において、壁や床などの表層部材を適宜選択してシミュレートする技術がある（例えば、特許文献１参照）。
【０００３】
また、オノマトペ等の音象徴語に着目して、画像等を検索する技術がある（特許文献２）。特許文献２は、予め、音象徴語の形容詞対評価値と、画像の形容詞対評価値を算出し、形容詞対評価値の類似性に基づいて、音象徴語を表現する画像を検索することが可能である。
【先行技術文献】
【特許文献】
【０００４】
【特許文献１】特開２０１８−０９２２７６号公報
【特許文献２】特開２０１６−２１８７０８号公報
【発明の概要】
【発明が解決しようとする課題】
【０００５】
特許文献１においてユーザは、インテリア等に用いることができる膨大な素材から、所望の素材を選択する必要があり、ユーザの負担が大きい。
【０００６】
従って本発明の目的は、ユーザの感性に沿った素材を提案する素材提案装置、素材提案方法および素材提案プログラムを提供することである。
【課題を解決するための手段】
【０００７】
上記課題を解決するために、本発明の第１の特徴は、音象徴語で表現されたユーザの要求に合う物の素材を提案する素材提案装置に関する。本発明の第１の特徴に係る素材提案装置は、音象徴語と、音象徴語の印象評価値を対応づけた音象徴語評価値データと、素材の識別子と、素材の印象評価値とを対応づけた素材データを記憶する記憶装置と、音象徴語評価値データから、ユーザが入力した音象徴語の印象評価値を取得し、取得した印象評価値と素材データの印象評価値との類似度に基づいて、素材の識別子を取得する素材取得部と、素材取得部が取得した素材の識別子を出力するする出力部を備える。
【０００８】
出力部は、物の画像に、素材取得部が取得した素材の識別子に対応する素材のテクスチャ画像を貼り付けて出力しても良い。
【０００９】
記憶装置はさらに、物を構成する要素の識別子を含む構成データを記憶し、素材データは、さらに、素材の識別子に、素材が用いられる要素の識別子を対応づけ、素材取得部は、構成データの要素毎に、素材の識別子を取得し、出力部は、物の画像の要素に対応する部分に、要素について、素材取得部が取得した素材の識別子に対応する素材のテクスチャ画像を貼り付けて出力しても良い。
【００１０】
素材取得部は、構成データの要素毎に、複数の素材の識別子を取得し、出力部は、構成データの要素毎に取得した複数の素材の識別子に対応する素材のテクスチャ画像を、要素に対応づけて出力し、物の画像のうち、要素に対応する部分に、要素について取得した複数の素材の識別子に対応する素材のテクスチャ画像からユーザが選択したテクスチャ画像を、貼り付けて出力しても良い。
【００１１】
本発明の第２の特徴は、音象徴語で表現されたユーザの要求に合う物の素材を提案する素材提案方法に関する。本発明の第２の特徴に係る素材提案方法は、コンピュータが、音象徴語と、音象徴語の印象評価値を対応づけた音象徴語評価値データと、素材の識別子と、素材の印象評価値とを対応づけた素材データを記憶装置に記憶するステップと、コンピュータが、音象徴語評価値データから、ユーザが入力した音象徴語の印象評価値を取得し、取得した印象評価値と素材データの印象評価値との類似度に基づいて、素材の識別子を取得するステップと、コンピュータが、取得した素材の識別子を出力するステップを備える。
【００１２】
本発明の第３の特徴は、コンピュータに、本発明の第１の特徴に記載の素材提案装置として機能させるための素材提案プログラムに関する。
【発明の効果】
【００１３】
本発明によれば、ユーザの感性に沿った素材を提案する素材提案装置、素材提案方法および素材提案プログラムを提供することができる。
【図面の簡単な説明】
【００１４】
【図１】本発明の実施の形態に係る素材提案装置のハードウエアと機能ブロックを説明する図である。
【図２】音象徴評価値データのデータ構造の一例を説明する図である。
【図３】印象評価値を説明する図である。
【図４】素材データのデータ構造の一例を説明する図である。
【図５】構成データのデータ構造の一例を説明する図である。
【図６】本発明の実施の形態に係る素材提案装置の素材取得部の処理を説明するフローチャートである。
【図７】本発明の実施の形態に係る素材提案装置の出力部の処理を説明するフローチャートである。
【図８】本発明の実施の形態に係る素材提案装置が出力する和室の画像の一例である。
【図９】変形例に係る素材提案装置の出力部の処理を説明するフローチャートである。
【発明を実施するための形態】
【００１５】
次に、図面を参照して、本発明の実施の形態を説明する。以下の図面の記載において、同一または類似の部分には同一または類似の符号を付している。
【００１６】
（素材提案装置）
図１に示す素材提案装置１は、ユーザ所望の感性を表現した音象徴語が入力されると、その音象徴語で表現されたユーザの要求に合う物の素材を提案し、提案した素材を用いた物のシミュレーション画像を出力する。本発明の実施の形態において音象徴語は、語音そのものが、ある特定のイメージを喚起する語であって、「すっきり」、「ざらざら」等のオノマトペに代表される。物の表面に用いる素材によって、物の印象が大きく異なることから、ユーザが所望する物の印象を音象徴語で表現し、素材提案装置１は、入力された音象徴語に基づいて、素材を提案する。素材提案装置１は、音象徴語に基づいて素材を特定することにより、ユーザの感性に沿った素材を提案する。
【００１７】
本発明の実施の形態は、「物」は、形状が特定される物であって、物の表層部材を適宜設定できるものを言う。物の具体例として和室の場合を説明するが、自動車、家具、雑貨などの有体物であっても良いし、コンピュータ等で描画されるキャラクタ、アイテムなどの無体物でも良い。また、和室の内装と家具の組み合わせにおいて適切な素材を見つけたい場合など、物と物との組み合わせに適用しても良い。
【００１８】
図１を参照して、本発明の実施の形態に係る素材提案装置１を説明する。素材提案装置１は、記憶装置１０、処理装置２０、入出力インタフェース３０を備える一般的なコンピュータである。一般的なコンピュータが素材提案プログラムを実行することにより、図１に示す機能を実現する。
【００１９】
記憶装置１０は、ＲＯＭ（Read Only Memory）、ＲＡＭ（Random access memory）、ハードディスク等であって、処理装置２０が処理を実行するための入力データ、出力データおよび中間データなどの各種データを記憶する。処理装置２０は、ＣＰＵ（Central Processing Unit）であって、記憶装置１０に記憶されたデータを読み書きしたり、入出力インタフェース３０とデータをやりとりしたりして、素材提案装置１における処理を実行する。入出力インタフェース３０は、マウス、キーボード等の入力装置、ディスプレイ、プリンタ等の出力装置、通信ネットワークに接続するための通信制御装置等と、処理装置２０を接続する。入出力インタフェース３０は、入力装置または通信ネットワークから入力された指示等を処理装置２０に入力し、処理装置２０の出力結果等を出力装置または通信ネットワークに出力する。
【００２０】
記憶装置１０は、素材提案プログラムを記憶するとともに、音象徴語評価値データ１１、素材データ１２および構成データ１３を記憶する。
【００２１】
音象徴語評価値データ１１は、図２に示すように、音象徴語と、音象徴語の印象評価値を対応づけたデータである。本発明の実施の形態において印象評価値は、図３に示すように「明るい−暗い」、「温かい−冷たい」などの形容詞対毎の評価値を含む。音象徴語の印象評価値は、音韻の語中の位置によって、音象徴語の印象が異なる可能性がある。従って音象徴語は第１モーラと第２モーラに分解され、各モーラについて、子音行、濁音、拗音、小母音、母音、語尾の要素と反復の有無等を特定した結果に基づいて、音象徴語の印象評価値が算出される。
【００２２】
素材データ１２は、素材提案装置１が提案する各素材のデータを蓄積する。素材データ１２は、図４に示すように、素材の識別子と、素材が用いられる要素の識別子と、素材の印象評価値を対応づけたデータである。素材データ１２は、さらに、素材の識別子に、その素材の表層のテクスチャ画像を対応づけても良い。
【００２３】
素材は、物を構成する要素に用いられる部材である。要素は、物を構成する部分であって、素材が用いられる単位である。例えば物が和室の場合、要素は、壁、床、天井等であって、壁、床、天井のそれぞれに、一つの素材が用いられる。
【００２４】
素材は、材質、模様等によって区分される。例えば、床に用いる素材として、い草で作られた畳、和紙で作られた畳、ポリプロピレンで作られた畳など、材質等の異なる複数の素材があり、畳の縁の模様等によって、さらに複数の素材に区分されても良い。また壁に用いる素材として、土、珪藻土、和紙、壁紙などの素材があり、和紙または壁紙に設けられる模様等によって、さらに複数の素材に区分されても良い。壁と天井に適用可能な壁紙など、一つの素材に対して複数の要素が対応づけられても良い。
【００２５】
素材の印象評価値は、図３に示すように形容詞対毎の評価値を含む。素材の印象評価値は、音象徴語評価値データ１１の各音象徴語の印象評価値と対応する形式で表現される。例えば、素材の印象評価値は、音象徴語の印象評価値の形容詞対のうち、視覚的な印象、またはインテリアデザインに関連が深いと考えられる形容詞対の評価値のみを有しても良い。
【００２６】
素材の印象評価値は、素材のテクスチャ画像の画像特徴量から印象評価値が特定されても良いし、ユーザによるアンケートにより与えられても良い。
【００２７】
アンケートにより印象評価値を特定する場合、素材を視認したユーザに、ユーザが想起したオノマトペ等の音象徴語を回答させ、回答された音象徴語の印象評価値から、素材の印象評価値が特定される。一つの素材について、複数の音象徴語が想起された場合、想起された音象徴語の印象評価値の平均等（各形容詞対の評価値の平均等）から、素材の音象徴語の印象評価値が特定されても良い。
【００２８】
また他の方法として、各素材について、図３に示す各形容詞対の評価値をユーザに回答させて、その回答に基づいて、素材の印象評価値が特定されても良い。この際、図３に示す形容詞対のうち、視覚的な印象、またはインテリアデザインに関連が深いと考えられる形容詞対について評価値をユーザに回答させても良い。視覚的な印象、またはインテリアデザインに関連が深いと考えられる形容詞対は例えば、「明るい−暗い」、「温かい−冷たい」、「快適−不快」、「かたい−やわらかい」、「美しい−醜い」、「高級感のある−安っぽい」、「自然な−人工的な」、「湿った−乾いた」、「シンプルな−複雑な」、「滑る−粘つく」、「つやのある−つやのない」、「凸凹な−平らな」、「なめらかな−粗い」および「派手な−地味な」等である。
【００２９】
構成データ１３は、図５に示すように、物を構成する要素の識別子を含むデータである。物が一つの要素で構成される場合、構成データ１３は、一つの要素の識別子を含む。物が複数の要素で構成される場合、構成データは複数の要素の識別子を含む。物が和室の場合、構成データ１３は、壁、床、天井等の各要素の識別子を含む。構成データ１３はさらに、物にテクスチャ画像を貼り付けてシミュレーションするために、各要素の位置を特定するデータを対応づける。
【００３０】
処理装置２０は、素材取得部２１および出力部２２を備える。
【００３１】
素材取得部２１は、音象徴語評価値データ１１から、ユーザが入力した音象徴語の印象評価値を取得し、取得した印象評価値と素材データ１２の印象評価値との類似度に基づいて、素材の識別子を取得する。素材取得部２１は、ユーザが入力した音象徴語を表現する素材を特定する。
【００３２】
素材取得部２１は、音象徴語の印象評価値を構成する各評価値と、素材データ１２の素材の印象評価値を構成する各評価値を比較して、類似度を算出する。本発明の実施の形態において類似度は、コサイン類似度を用いる。
【００３３】
素材取得部２１は、素材データ１２から、音象徴語の印象評価値に近い印象評価値を有する素材の識別子を取得する。素材取得部２１は、音象徴語の印象評価値に、最も類似度が高い印象評価値を有する素材の識別子を取得しても良いし、類似度が所定値以上の素材の識別子を取得しても良いし、類似度が高いものから所定数の素材の識別子を取得しても良い。
【００３４】
物が複数の要素によって構成される場合、素材取得部２１は、構成データ１３の要素毎に、素材の識別子を取得する。素材取得部２１は、構成データ１３の要素について、素材データ１２のその要素に対応する素材のうち、音象徴語の印象評価値と類似度が高い素材の識別子を取得する。素材取得部２１は、構成データ１３で特定される各要素について、素材の識別子を取得する処理を繰り返す。物が和室の場合、素材取得部２１は、素材データ１２から、ユーザが入力した音象徴語の印象評価値に近い素材の識別子を、床、壁および天井等の各要素について取得する。
【００３５】
図６を参照して、素材取得部２１による素材取得処理を説明する。
【００３６】
ステップＳ１０１において素材取得部２１は、音象徴語評価値データ１１から、ユーザが入力した音象徴語の印象評価値を取得する。
【００３７】
素材取得部２１は、構成データ１３の各要素について、ステップＳ１０２およびステップＳ１０３の処理を繰り返す。
【００３８】
ステップＳ１０２において素材取得部２１は、素材データ１２から、処理対象の要素に対応する素材の識別子を抽出する。ステップＳ１０３において素材取得部２１は、ステップＳ１０３で抽出した素材の識別子から、ステップＳ１０１で取得した音象徴語の印象評価値に近い印象評価値を有する素材の識別子を取得する。より具体的には、素材取得部２１は、ステップＳ１０１で取得した音象徴語の印象評価値とのコサイン類似度が最も高い素材の識別子を取得する。
【００３９】
素材取得部２１は、構成データ１３の各要素について、ステップＳ１０２およびステップＳ１０３を処理すると、終了する。
【００４０】
出力部２２は、素材取得部２１が取得した素材の識別子を出力する。ここで出力される素材の識別子は、素材に付与されたコード番号でも良いし、い草で作られた畳などの素材の説明でも良いし、素材のテクスチャ画像であっても良い。
【００４１】
また出力部２２は、物の要素について、物の画像に、素材取得部２１が取得した素材の識別子に対応する素材のテクスチャ画像を貼り付けて出力しても良い。ユーザは、素材提案装置１が提案した素材の質感を、視認することができる。
【００４２】
物が複数の要素によって構成される場合、出力部２２は、物の画像の要素に対応する部分に、その要素について、素材取得部２１が取得した素材の識別子に対応する素材のテクスチャ画像を貼り付けて出力する。出力部２２は、構成データ１３を参照して、要素の位置を特定する。出力部２２は、特定した位置に、その要素について特定した素材のテクスチャ画像を貼り付けて、出力する。
【００４３】
図７を参照して、出力部２２による出力処理を説明する。
【００４４】
出力部２２は、構成データ１３の各要素について、ステップＳ２０１の処理を繰り返す。ステップＳ２０１において出力部２２は、処理対象の要素の位置に、その要素について取得した素材のテクスチャ画像を貼り付ける。
【００４５】
構成データ１３の各要素についてステップＳ２０１の処理が終了すると、ステップＳ２０２において出力部２２は、素材のテクスチャを貼り付けた物の画像を出力し、処理を終了する。
【００４６】
本発明の実施の形態において素材提案装置１は、各要素について最もコサイン類似度が高い素材を提案する場合を説明したがこれに限らない。例えば、上位から所定数以内にコサイン類似度が高い素材または所定値以上のコサイン類似度を有する素材から、１以上の素材を提案しても良い。また物が複数の要素によって構成される場合、各要素の複数の素材からランダムに選択して、複数の素材のテクスチャ画像を組み合わせた画像を出力しても良い。
【００４７】
図８を参照して、素材提案装置１による出力画像の一例を説明する。図８（ａ）は、音印象語として「ざらざら」が入力された際の出力画像で、図８（ｂ）は、音印象語として「すっきり」が入力された際の出力画像である。
【００４８】
図８（ａ）および図８（ｂ）に示す各画像を提示し、各画像から想起される音象徴語のアンケート回答により、本発明の実施の形態に係る素材提案装置１を評価する。図８（ａ）から想起される音象徴語として、「ざらざら」、「つるつる」および「ぎらぎら」の中から最適なものを選択させた結果、「ざらざら」の回答が最も多く得られた。同様に図８（ｂ）から想起される音象徴語として、「きらきら」、「すっきり」および「ごわごわ」の中から最適なものを選択させた結果、「すっきり」の回答が最も多く得られた。これらの結果から、本発明の実施の形態に係る素材提案装置１は、人の感性に合った素材を提案していることがわかる。
【００４９】
このように、本発明の実施の形態に係る素材提案装置１は、ユーザから物の素材に対してイメージする音象徴語が入力されると、その音象徴語の印象評価値に類似する印象評価値を有する素材を提案する。これにより、ユーザは、素材に対する充分な知識がない場合でも、また膨大な素材に目を通さない場合でも、ユーザのイメージに近い素材を見つけ出すことができる。
【００５０】
また物が複数の要素で構成される場合、従来であれば、各要素に用いる素材の相性等も考慮する必要があり、ユーザが素材を選択することが困難な場合があった。これに対し本発明の実施の形態に係る素材提案装置１は、物の各要素について、ユーザが入力した音象徴語に対応する素材を選択する。一つの音象徴語から選択された各素材は、共通するイメージを有するので、素材提案装置１は、統一感のある素材で組み合わされ、調和の取れた外観を提案することができる。従ってユーザは、素材の組み合わせの相性等を考慮することなく、音象徴語に対応する素材の情報を得ることができる。
【００５１】
このように本発明の実施の形態に係る素材提案装置１は、ユーザの感性に沿った音象徴語から、ユーザの感性に沿った素材を提案することができる。
【００５２】
（変形例）
本発明の実施の形態において、素材提案装置１が、入力された音象徴語に対応する素材の識別子を出力する場合を説明したが、これに限らない。素材提案装置１は、入力された音象徴語に対応する複数の素材を提示し、ユーザに選択させても良い。
【００５３】
変形例において素材取得部２１は、構成データ１３の要素毎に、複数の素材の識別子を取得する。
【００５４】
出力部２２は、構成データ１３の要素毎に取得した複数の素材の識別子に対応する素材のテクスチャ画像を、要素に対応づけて出力する。出力部２２はさらに、物の画像のうち、要素に対応する部分に、要素について取得した複数の素材の識別子に対応する素材のテクスチャ画像からユーザが選択したテクスチャ画像を、貼り付けて出力する。
【００５５】
図９に変形例に係る出力部２２による出力処理を説明する。
【００５６】
出力部２２は、構成データ１３の各要素について、ステップＳ２５１ないしステップS２５２の処理を繰り返す。ステップＳ２５１において出力部２２は、処理対象の要素に対応する複数の素材のテクスチャ画像を表示し、ユーザにいずれかのテクスチャ画像を選択させる。ステップＳ２５２において出力部２２は、処理対象の要素の位置に、その要素について選択された素材のテクスチャ画像を貼り付ける。
【００５７】
構成データ１３の各要素についてステップＳ２５１およびステップＳ２５２の処理が終了すると、ステップＳ２５３において出力部２２は、素材のテクスチャを貼り付けた物の画像を出力し、処理を終了する。
【００５８】
素材提案装置１は、ユーザが入力した音象徴語に対応する素材の数を絞り込んでユーザに提示することで、ユーザは、所望のイメージに近い素材から、嗜好にあった素材を選択することができる。
【００５９】
（その他の実施の形態）
上記のように、本発明の実施の形態とその変形例によって記載したが、この開示の一部をなす論述および図面はこの発明を限定するものであると理解すべきではない。この開示から当業者には様々な代替実施の形態、実施例および運用技術が明らかとなる。
【００６０】
例えば、本発明の実施の形態に記載した素材提案装置は、図１に示すように一つのハードウエア上に構成されても良いし、その機能や処理数に応じて複数のハードウエア上に構成されても良い。また、既存の情報処理システム上に実現されても良い。
【００６１】
また本発明の実施の形態に示した処理順序は一例であって、この順序に限定されるものではない。
【００６２】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００６３】
１  素材提案装置
１０  記憶装置
１１  音象徴語評価値データ
１２  素材データ
１３  構成データ
２０  処理装置
２１  素材取得部
２２  出力部
【図１】
2020126473.tif 000003
【図２】
2020126473.tif 000004
【図３】
2020126473.tif 000005
【図４】
2020126473.tif 000006
【図５】
2020126473.tif 000007
【図６】
2020126473.tif 000008
【図７】
2020126473.tif 000009
【図８】
2020126473.tif 000010
【図９】
2020126473.tif 000011
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
音象徴語で表現されたユーザの要求に合う物の素材を提案する素材提案装置であって、
音象徴語と、前記音象徴語の印象評価値を対応づけた音象徴語評価値データと、
素材の識別子と、前記素材の印象評価値とを対応づけた素材データを記憶する記憶装置と、
前記音象徴語評価値データから、ユーザが入力した音象徴語の印象評価値を取得し、取得した印象評価値と前記素材データの印象評価値との類似度に基づいて、素材の識別子を取得する素材取得部と、
前記素材取得部が取得した前記素材の識別子を出力する出力部
を備えることを特徴とする素材提案装置。
【請求項２】
前記出力部は、前記物の画像に、前記素材取得部が取得した素材の識別子に対応する前記素材のテクスチャ画像を貼り付けて出力する
ことを特徴とする請求項１に記載の素材提案装置。
【請求項３】
前記記憶装置はさらに、
前記物を構成する要素の識別子を含む構成データを記憶し、
前記素材データは、さらに、前記素材の識別子に、前記素材が用いられる前記要素の識別子を対応づけ、
前記素材取得部は、前記構成データの前記要素毎に、素材の識別子を取得し、
前記出力部は、前記物の画像の前記要素に対応する部分に、前記要素について、前記素材取得部が取得した素材の識別子に対応する前記素材のテクスチャ画像を貼り付けて出力する
ことを特徴とする請求項１に記載の素材提案装置。
【請求項４】
前記素材取得部は、前記構成データの前記要素毎に、複数の素材の識別子を取得し、
前記出力部は、前記構成データの前記要素毎に取得した複数の素材の識別子に対応する前記素材のテクスチャ画像を、前記要素に対応づけて出力し、
前記物の画像のうち、前記要素に対応する部分に、前記要素について取得した複数の素材の識別子に対応する前記素材のテクスチャ画像からユーザが選択したテクスチャ画像を、貼り付けて出力する
ことを特徴とする請求項３に記載の素材提案装置。
【請求項５】
前記素材取得部は、複数の素材の識別子を取得し、
前記出力部は、取得した複数の素材の識別子にそれぞれ対応する複数の前記素材のテクスチャ画像を出力する
ことを特徴とする請求項１に記載の素材提案装置。
【請求項６】
前記出力部が出力した前記複数の素材のテクスチャ画像から、一の素材のテクスチャ画像をユーザに選択させる選択手段を更に備え、
前記出力部は、前記物の画像に、前記選択手段により選択された前記素材のテクスチャ画像を貼り付けて出力する
ことを特徴とする請求項５に記載の素材提案装置。
【請求項７】
前記素材を視認したユーザにより回答された音象徴語の印象評価値から、前記素材データが生成される
ことを特徴とする請求項１に記載の素材提案装置。
【請求項８】
前記素材を視認したユーザの回答から特定された印象評価値から、前記素材データが生成される
ことを特徴とする請求項１に記載の素材提案装置。
【請求項９】
音象徴語で表現されたユーザの要求に合う物の素材を提案する素材提案方法であって、
コンピュータが、音象徴語と、前記音象徴語の印象評価値を対応づけた音象徴語評価値データと、素材の識別子と、前記素材の印象評価値とを対応づけた素材データを記憶装置に記憶するステップと、
前記コンピュータが、前記音象徴語評価値データから、ユーザが入力した音象徴語の印象評価値を取得し、取得した印象評価値と前記素材データの印象評価値との類似度に基づいて、素材の識別子を取得するステップと、
前記コンピュータが、取得した前記素材の識別子を出力するステップ
を備えることを特徴とする素材提案方法。
【請求項１０】
コンピュータに、請求項１ないし請求項８のいずれか１項に記載の素材提案装置として機能させるための素材提案プログラム。